(57)【要約】      （修正有）【課題】地震等の災害発生の場合、被害状況、ＢＣＰ行動指針等の情報を多くの行動者が目視で一覧し共有でき、限られた経営資源で最低限の事業活動の継統、目標復旧時間以内で事業再開を実現するホワイトボード機能を有する災害対策用様式罫引シートセット、災害対策用様式罫印ボードセットを提供する。【解決手段】本部初動対応手順、地震概況、被害概況一覧、担当事業所の被害状況、鉄道運行状況、道路状況、空港状況、要対応事項、対応経緯、緊急連絡先一覧、安否確認状況等からなる地震に関する災害対策用様式を個別に罫引表記した各ベースシート２１と、各ベースシート２１の罫引表記領域の表面に添着した情報書き込み・消去可能な透明フィルムシート２２とを有する１１種の罫引シートの集合である罫引シート群と、対策本部、災害現場事業所等の壁面等に各罫引シートを取り付ける止めピン２４等の取り付け具を有する構成。【選択図】図１３
0003184160.tif 000002
【実用新案登録請求の範囲】
【請求項１】
表面に各種の災害発生に伴う本部初動対応手順及びこの本部初動対応手順の実行に必要な各種の災害対策用様式を個別に罫引表記した複数のベースシートと、
前記各ベースシートの罫引表記領域の表面に添着した情報書き込み・消去可能な透明フィルムシートと、
を有する複数の罫引シートの集合である罫引シート群からなることを特徴とするホワイトボード機能を有する災害対策用様式罫引シートセット。
【請求項２】
表面に地震、台風、豪雨、津波等の各種の災害発生に伴う本部初動対応手順及びこの本部初動対応手順の実行に必要な各種の災害対策用様式を個別に罫引表記した複数のベースシートと、
前記各ベースシートの罫引表記領域の表面に添着した情報書き込み・消去可能な透明フィルムシートとを有する複数の罫引シートの集合である罫引シート群と、
各罫引シートを壁面等に取り付ける止めピン、両面接着テープ等の取り付け具と、
を有することを特徴とするホワイトボード機能を有する災害対策用様式罫引シートセット。
【請求項３】
表面に地震、台風、豪雨、津波等の各種の災害発生に伴う本部初動対応手順及びこの本部初動対応手順の実行に必要な地震概況、被害概況一覧、担当事業所の被害状況、鉄道運行状況、道路状況、空港状況、要対応事項、対応経緯、緊急連絡先一覧、安否確認状況等からなる地震に関する災害対策用様式を個別に罫引表記した複数のベースシートと、
前記各ベースシートの罫引表記領域の表面に添着した情報書き込み・消去可能な透明フィルムシートとを有する複数の罫引シートの集合である罫引シート群と、
対策本部、災害現場事業所等の壁面等に各罫引シートを取り付ける止めピン、両面接着テープ等の取り付け具と、
を有することを特徴とするホワイトボード機能を有する災害対策用様式罫引シートセット。
【請求項４】
本部初動対応手順、災害名称、発生日の文字を上部左隅に表記するとともに、ナンバー１，２，３，・・・等の番号欄を左欄に縦方向に表記して、目標時間、アクション、担当者、実行時間、実行者、備考等の各項目欄を横方向にナンバー毎に記載し得るように設け、これらを罫線により枠取りをした様式罫引からなる本部初動対応手順に関する罫引シートと、
地震概況、災害名称、発生日の文字を上部左隅に表記するとともに、月日記載欄、震源、マグニチュード、各地の震度、津波状況等の各項目を左欄に縦方向に表記し、各項目別に発生時分を記載する欄を横方向に複数並べ、これらを罫線により枠取りをした様式罫引からなる地震概況に関する罫引シートと、
被害概況一覧、災害名称、発生日の文字を上部左隅に表記するとともに、拠点名、震度、報告日時、報告者、業務継続可否、人的被害、施設、電気、ガス等のライフライン、部材・商品、顧客・取引先、備考等の各項目を左欄に縦方向に表記し、各項目別の記載欄を各項目別に横方向に複数並べ、これらを罫線により枠取りをした様式罫引からなる被害概況一覧に関する罫引シートと、
担当事業所の被害状況、災害名称、発生日の文字を上部左隅に表記するとともに、負傷者、火災、建物、照明、空調、電気、通信、水道、トイレ、エレベータ、その他の各項目を左欄に縦方向に表記し、何時何分現在のような時間経過情報記載欄を横方向に複数並べ、これらを罫線により枠取りをした様式罫引からなる担当事業所の被害状況に関する罫引シートと、
鉄道運行状況、災害名称、発生日の文字を上部左隅に表記するとともに、ナンバー１，２，３，・・・等の番号欄を左欄に縦方向に表記し、鉄道会社名、路線名、運行状況、確認時間、備考等の各項目欄を横方向にナンバー毎に記載し得るように設け、これらを罫線により枠取りをした様式罫引からなる鉄道運行状況に関する罫引シートと、
道路状況、災害名称、発生日の文字を上部左隅に表記するとともに、ナンバー１，２，３，・・・等の番号欄を左欄に縦方向に表記し、路線名称、区間、道路状況、確認時間、備考等の各項目欄を横方向にナンバー毎に記載し得るように設け、これらを罫線により枠取りをした様式罫引からなる道路運行状況に関する罫引シートと、
空港状況、災害名称、発生日の文字を上部左隅に表記するとともに、ナンバー１，２，３，・・・等の番号欄を左欄に縦方向に表記し、空港名、開港状況、確認時間、備考等の各項目欄を横方向にナンバー毎に記載し得るように設け、これらを罫線により枠取りをした様式罫引からなる空港状況に関する罫引シートと、
要対応事項、災害名称、発生日の文字を上部左隅に表記するとともに、ナンバー１，２，３，・・・等の番号欄を左欄に縦方向に表記して、記入時刻，要対応事項、担当者、期限、現状等の各項目欄を横方向にナンバー毎に記載し得るように設け、これらを罫線により枠取りをした様式罫引からなる要対応事項に関する罫引シートと、
対応経緯（月日）、災害名称、発生日の文字を上部左隅に表記するとともに、ナンバー１，２，３，・・・等の番号欄を左欄に縦方向に表記し、時刻、事象／対応、分野・場所、実行者等の各項目欄を横方向にナンバー毎に記載し得るように設け、これらを罫線により枠取りをした様式罫引からなる対応経緯に関する罫引シートと、
緊急連絡先一覧、災害名称、発生日の文字を上部左隅に表記するとともに、ナンバー１，２，３，・・・等の番号欄を左欄に縦方向に表記し、分野・役割、名称、電話。メールアドレス、携帯電話、携帯メールアドレス等の各項目欄を横方向にナンバー毎に記載し得るように設け、これらを罫線により枠取りをした様式罫引からなる緊急連絡先一覧に関する罫引シートと、
安否確認状況、災害名称、発生日の文字を上部左隅に表記するとともに、部門名、対象者数、無事、負傷、未回答、負傷者状況、備考等の各項目を左欄に縦方向に表記し、各項目に対応する記載欄を横方向に複数並べ、これらを罫線により枠取りをした様式罫引からなる安否確認状に関する罫引シートと、
からなる複数の罫引シートの集合である罫引シート群と、
対策本部、災害現場事業所等の壁面等に各罫引シートを取り付ける止めピン、両面接着テープ等の取り付け具と、
を有することを特徴とするホワイトボード機能を有する災害対策用様式罫引シートセット。
【請求項５】
表面に各種の災害発生に伴う本部初動対応手順及びこの本部初動対応手順の実行に必要な各種の災害対策用様式を個別に罫引表記した複数のベースシートと、
前記各ベースシートの罫引表記領域の表面に添着した情報書き込み・消去可能な透明フィルムシートと、
前記各ベースシートの裏面側に添着した裏面材と、
を有する複数の罫引ボードの集合である罫引ボードからなることを特徴とするホワイトボード機能を有する災害対策用様式罫引ボードセット。
【請求項６】
表面に各種の災害発生に伴う本部初動対応手順及びこの本部初動対応手順の実行に必要な各種の災害対策用様式を個別に罫引表記した複数のベースシートと、
前記各ベースシートの罫引表記領域の表面に添着した情報書き込み・消去可能な透明フィルムシートと、
前記各ベースシートの裏面側に添着したマグネットシート、枠材板状ボード等からなる裏面材と、を有する複数の罫引ボードの集合である罫引ボード群と、
各罫引ボードを壁面等に取り付ける磁石、フック等の取り付け具と、
を有することを特徴とするホワイトボード機能を有する災害対策用様式罫引ボードセット。
【請求項７】
表面に地震、台風、豪雨、津波等の各種の災害発生に伴う本部初動対応手順及びこの本部初動対応手順の実行に必要な地震概況、被害概況一覧、担当事業所の被害状況、鉄道運行状況、道路状況、空港状況、要対応事項、対応経緯、緊急連絡先一覧、安否確認状況等からなる地震に関する災害対策用様式を個別に罫引表記した複数のベースシートと、
前記各ベースシートの罫引表記領域の表面に添着した情報書き込み・消去可能な透明フィルムシートと、
前記各ベースシートの裏面側に添着したマグネットシート、枠材板状ボード等からなる裏面材と、を有する複数の罫引ボードの集合である罫引ボード群と、
各罫引ボードを対策本部、災害現場事業所等の壁面等に取り付ける磁石、フック等の取り付け具と、
を有することを特徴とするホワイトボード機能を有する災害対策用様式罫引ボードセット。
【請求項８】
本部初動対応手順、災害名称、発生日の文字を上部左隅に表記するとともに、ナンバー１，２，３，・・・等の番号欄を左欄に縦方向に表記して、目標時間、アクション、担当者、実行時間、実行者、備考等の各項目欄を横方向にナンバー毎に記載し得るように設け、これらを罫線により枠取りをした様式罫引からなる本部初動対応手順に関する罫引シートと、
地震概況、災害名称、発生日の文字を上部左隅に表記するとともに、月日記載欄、震源、マグニチュード、各地の震度、津波状況等の各項目を左欄に縦方向に表記し、各項目別に発生時分を記載する欄を横方向に複数並べ、これらを罫線により枠取りをした様式罫引からなる地震概況に関する罫引ボードと、
被害概況一覧、災害名称、発生日の文字を上部左隅に表記するとともに、拠点名、震度、報告日時、報告者、業務継続可否、人的被害、施設、電気、ガス等のライフライン、部材・商品、顧客・取引先、備考等の各項目を左欄に縦方向に表記し、各項目別の記載欄を各項目別に横方向に複数並べ、これらを罫線により枠取りをした様式罫引からなる被害概況一覧に関する罫引ボードと、
担当事業所の被害状況、災害名称、発生日の文字を上部左隅に表記するとともに、負傷者、火災、建物、照明、空調、電気、通信、水道、トイレ、エレベータ、その他の各項目を左欄に縦方向に表記し、何時何分現在のような時間経過情報記載欄を横方向に複数並べ、これらを罫線により枠取りをした様式罫引からなる担当事業所の被害状況に関する罫引ボードと、
鉄道運行状況、災害名称、発生日の文字を上部左隅に表記するとともに、ナンバー１，２，３，・・・等の番号欄を左欄に縦方向に表記し、鉄道会社名、路線名、運行状況、確認時間、備考等の各項目欄を横方向にナンバー毎に記載し得るように設け、これらを罫線により枠取りをした様式罫引からなる鉄道運行状況に関する罫引ボードと、
道路状況、災害名称、発生日の文字を上部左隅に表記するとともに、ナンバー１，２，３，・・・等の番号欄を左欄に縦方向に表記して、路線名称、区間、道路状況、確認時間、備考等の各項目欄を横方向にナンバー毎に記載し得るように設け、これらを罫線により枠取りをした様式罫引からなる道路運行状況に関する罫引ボードと、
空港状況、災害名称、発生日の文字を上部左隅に表記するとともに、ナンバー１，２，３，・・・等の番号欄を左欄に縦方向に表記し、空港名、開港状況、確認時間、備考等の各項目欄を横方向にナンバー毎に記載し得るように設け、これらを罫線により枠取りをした様式罫引からなる空港状況に関する罫引ボードと、
要対応事項、災害名称、発生日の文字を上部左隅に表記するとともに、ナンバー１，２，３，・・・等の番号欄を左欄に縦方向に表記して、記入時刻，要対応事項、担当者、期限、現状等の各項目欄を横方向にナンバー毎に記載し得るように設け、これらを罫線により枠取りをした様式罫引からなる要対応事項に関する罫引ボードと、
対応経緯（月日）、災害名称、発生日の文字を上部左隅に表記するとともに、ナンバー１，２，３，・・・等の番号欄を左欄に縦方向に表記し、時刻、事象／対応、分野・場所、実行者等の各項目欄を横方向にナンバー毎に記載し得るように設け、これらを罫線により枠取りをした様式罫引からなる対応経緯に関する罫引ボードと、
緊急連絡先一覧、災害名称、発生日の文字を上部左隅に表記するとともに、ナンバー１，２，３，・・・等の番号欄を左欄に縦方向に表記し、分野・役割、名称、電話。メールアドレス、携帯電話、携帯メールアドレス等の各項目欄を横方向にナンバー毎に記載し得るように設け、これらを罫線により枠取りをした様式罫引からなる緊急連絡先一覧に関する罫引ボードと、
安否確認状況、災害名称、発生日の文字を上部左隅に表記するとともに、部門名、対象者数、無事、負傷、未回答、負傷者状況、備考等の各項目を左欄に縦方向に表記し、各項目に対応する記載欄を横方向に複数並べ、これらを罫線により枠取りをした様式罫引からなる安否確認状に関する罫引ボードと、
からなる複数の罫引ボードの集合である罫引ボード群と、
各罫引ボードを対策本部、災害現場事業所等の壁面等に取り付ける磁石、フック等の取り付け具と、
を有することを特徴とするホワイトボード機能を有する災害対策用様式罫引ボードセット。
【請求項９】
ホワイトボード仕様の原板と、
この原板の各辺端縁を覆うように取り付けた枠と、
を有し、
原板の表面に各種の災害発生に伴う本部初動対応手順及びこの本部初動対応手順の実行に必要な各種の災害対策用様式を個別に罫引表記した複数の罫引ホワイトボードの集合である罫引ホワイトボード群からなることを特徴とする災害対策用様式罫引ホワイトボードセット。
【請求項１０】
ホワイトボード仕様の原板と、
この原板の各辺端縁を覆うように取り付けた枠と、
を有し、
原板の表面に各種の災害発生に伴う本部初動対応手順及びこの本部初動対応手順の実行に必要な地震概況、被害概況一覧、担当事業所の被害状況、鉄道運行状況、道路状況、空港状況、要対応事項、対応経緯、緊急連絡先一覧、安否確認状況等からなる地震に関する災害対策用様式を個別に罫引表記した複数の罫引ホワイトボードの集合である罫引ホワイトボード群からなることを特徴とする災害対策用様式罫引ホワイトボードセット。
【請求項１１】
本部初動対応手順、災害名称、発生日の文字を上部左隅に表記するとともに、ナンバー１，２，３，・・・等の番号欄を左欄に縦方向に表記し、目標時間、アクション、担当者、実行時間、実行者、備考等の各項目欄を横方向にナンバー毎に記載し得るように設け、これらを罫線により枠取りをした様式罫引からなる本部初動対応手順に関する罫引ホワイトボードと、
地震概況、災害名称、発生日の文字を上部左隅に表記するとともに、月日記載欄、震源、マグニチュード、各地の震度、津波状況等の各項目を左欄に縦方向に表記し、各項目別に発生時分を記載する欄を横方向に複数並べ、これらを罫線により枠取りをした様式罫引からなる地震概況に関する罫引ホワイトボードと、
被害概況一覧、災害名称、発生日の文字を上部左隅に表記するとともに、拠点名、震度、報告日時、報告者、業務継続可否、人的被害、施設、電気、ガス等のライフライン、部材・商品、顧客・取引先、備考等の各項目を左欄に縦方向に表記し、各項目別の記載欄を各項目別に横方向に複数並べ、これらを罫線により枠取りをした様式罫引からなる被害概況一覧に関する罫引ホワイトボードと、
担当事業所の被害状況、災害名称、発生日の文字を上部左隅に表記するとともに、負傷者、火災、建物、照明、空調、電気、通信、水道、トイレ、エレベータ、その他の各項目を左欄に縦方向に表記し、何時何分現在のような時間経過情報記載欄を横方向に複数並べ、これらを罫線により枠取りをした様式罫引からなる担当事業所の被害状況に関する罫引ホワイトボードと、
鉄道運行状況、災害名称、発生日の文字を上部左隅に表記するとともに、ナンバー１，２，３，・・・等の番号欄を左欄に縦方向に表記し、鉄道会社名、路線名、運行状況、確認時間、備考等の各項目欄を横方向にナンバー毎に記載し得るように設け、これらを罫線により枠取りをした様式罫引からなる鉄道運行状況に関するホワイト罫引ボードと、
道路状況、災害名称、発生日の文字を上部左隅に表記するとともに、ナンバー１，２，３，・・・等の番号欄を左欄に縦方向に表記して、路線名称、区間、道路状況、確認時間、備考等の各項目欄を横方向にナンバー毎に記載し得るように設け、これらを罫線により枠取りをした様式罫引からなる道路運行状況に関する罫引ホワイトボードと、
空港状況、災害名称、発生日の文字を上部左隅に表記するとともに、ナンバー１，２，３，・・・等の番号欄を左欄に縦方向に表記し、空港名、開港状況、確認時間、備考等の各項目欄を横方向にナンバー毎に記載し得るように設け、これらを罫線により枠取りをした様式罫引からなる空港状況に関する罫引ホワイトボードと、
要対応事項、災害名称、発生日の文字を上部左隅に表記するとともに、ナンバー１，２，３，・・・等の番号欄を左欄に縦方向に表記し、記入時刻，要対応事項、担当者、期限、現状等の各項目欄を横方向にナンバー毎に記載し得るように設け、これらを罫線により枠取りをした様式罫引からなる要対応事項に関する罫引ホワイトボードと、
対応経緯（月日）、災害名称、発生日の文字を上部左隅に表記するとともに、ナンバー１，２，３，・・・等の番号欄を左欄に縦方向に表記し、時刻、事象／対応、分野・場所、実行者等の各項目欄を横方向にナンバー毎に記載し得るように設け、これらを罫線により枠取りをした様式罫引からなる対応経緯に関する罫引ホワイトボードと、
緊急連絡先一覧、災害名称、発生日の文字を上部左隅に表記するとともに、ナンバー１，２，３，・・・等の番号欄を左欄に縦方向に表記し、分野・役割、名称、電話。メールアドレス、携帯電話、携帯メールアドレス等の各項目欄を横方向にナンバー毎に記載し得るように設け、これらを罫線により枠取りをした様式罫引からなる緊急連絡先一覧に関する罫引ホワイトボードと、
安否確認状況、災害名称、発生日の文字を上部左隅に表記するとともに、部門名、対象者数、無事、負傷、未回答、負傷者状況、備考等の各項目を左欄に縦方向に表記し、各項目に対応する記載欄を横方向に複数並べ、これらを罫線により枠取りをした様式罫引からなる安否確認状に関する罫引ホワイトボードと、
からなる複数の罫引ホワイトボードの集合である罫引ボード群からなることを特徴とする災害対策用様式罫引ホワイトボードセット。
【請求項１２】
前記各罫引ホワイトボードは、脚体により若しくはキャスター付き脚体により自立支持され又は取り付け具により壁面等に取り付けられるものであることを特徴とする請求項９乃至１１のいずれかに記載の災害対策用様式罫引ホワイトボードセット。
【考案の詳細な説明】
【技術分野】
【０００１】
本考案は、ホワイトボード機能を有する災害対策用様式罫引シートセット、災害対策用様式罫引ボードセット、及び災害対策用様式罫引ホワイトボードセットに関するものである。
【背景技術】
【０００２】
地震、台風等に伴う各種災害発生時においては、事業を営む企業等において災害状況把握、ＢＣＰ（Business Continuity Plan）行動指針や従業員の安否確認、緊急連絡等、各種の緊急対策を講じることが極めて重要となる。
【０００３】
従来においては、災害発生に伴い無地の紙やホワイトボードに手書き等で災害状況、ＢＣＰ行動指針等を記載し、これに基づき災害対策活動を実行するようにすることが多い。
【０００４】
しかし、このような事後的な災害対策手段では、例えば、企業の本社と、災害発生現場の事業所の間で災害状況の把握に錯誤が生じたり、従業員の安否確認に手間取ったりして、迅速、かつ、的確なＢＣＰ行動を実行することは困難である。
【０００５】
特許文献１には、本考案に関連する技術として、災害時の被災状況を想定するための様式である自社事業所ハザード認識区域と被災後の事業復旧計画を想定するための様式である復旧優先業務順位把握区域、重要業務被害想定一覧区域、重要業務別目標復旧時間一覧区域、必要要素記入一覧区域、重要業務継続方法等記入区域、重要事業別確保人材記入区域、資源代替調達一覧区域、被災損益計画区域、復旧資金調達額記入区域を含む事業継続計画様式集用印刷物をＡ４サイズの一冊の冊子状にまとめた事情継続計画諸式集が提案されている。
【０００６】
この事情継続計画諸式集の場合、Ａ４サイズの一冊の冊子状にまとめたものであるために、ＢＣＰ行動指針等の計画検討段階は別として、実際に災害が発生した場合において緊急に災害対策活動を実行する場合に、例えば壁面等に掲げて事業継続計画様式や書き込み内容等の情報を多くの行動者の一覧に供し、被害状況等の情報の共用化を図り、迅速、かつ、的確な被害対策を講じるような用途には不向きである。
【先行技術文献】
【特許文献】
【０００７】
【特許文献１】登録実用新案第３１７１８８７号公報
【考案の概要】
【考案が解決しようとする課題】
【０００８】
本考案が解決しようとする問題点は、地震等の災害発生の場合に、停電が生じたような場合でも被害状況、ＢＣＰ行動指針等の情報を多くの行動者が目視により一覧して共有でき、また、対策本部の設置場所の自由度を有し、限られた経営資源で最低限の事業活動の継統、又は目標復旧時間以内での事業再開実現に資するような災害対策用様式罫引シートセット、災害対策用様式罫引ボードセット、及び災害対策用様式罫引ホワイトボードセットが存在しない点である。
【課題を解決するための手段】
【０００９】
本考案のホワイトボード機能を有する災害対策用様式罫引シートセットは、表面に地震、台風、豪雨、津波等の各種の災害発生に伴う本部初動対応手順及びこの本部初動対応手順の実行に必要な地震概況、被害概況一覧、担当事業所の被害状況、鉄道運行状況、道路状況、空港状況、要対応事項、対応経緯、緊急連絡先一覧、安否確認状況等からなる地震に関する災害対策用様式を個別に罫引表記した複数のベースシートと、前記各ベースシートの罫引表記領域の表面に添着した情報書き込み・消去可能な透明フィルムシートとを有する複数の罫引シートの集合である罫引シート群と、対策本部、災害現場事業所等の壁面等に各罫引シートを取り付ける止めピン、両面接着テープ等の取り付け具と、を有することを最も主要な特徴とする。
【考案の効果】
【００１０】
請求項１乃至４記載の考案によれば、地震等の災害発生の場合に、停電が生じたような場合でも被害状況、ＢＣＰ行動指針等の情報を書き込み、また、多くの行動者が目視により一覧して共有でき、限られた経営資源で最低限の事業活動の継統、又は目標復旧時間以内での事業再開実現に資することができ、また、情報の更新等ホワイトボードとしての利便性に富むとともに繰り返し使用でき、平時に定期的な訓練を継続して行えることから災害発生時に速やかに初動体制を取ることが可能となり、更に、各罫引シートがいずれも薄厚のシート状であることから、折り畳み、丸め込みが可能であり、運搬の便宜、保管場所の省スペース化を図ることもできるので、対策本部の設置場所の自由度を有するという優れた効果を奏するホワイトボード機能を有する災害対策用様式罫引シートセットを実現し提供することができる。
【００１１】
請求項５乃至８記載の考案によれば、地震等の災害発生の場合に、停電が生じたような場合でも被害状況、ＢＣＰ行動指針等の情報を書き込み、また、多くの行動者が目視により一覧して共有でき、限られた経営資源で最低限の事業活動の継統、又は目標復旧時間以内での事業再開実現に資することができ、また、情報の更新等ホワイトボードとしての利便性に富むとともに繰り返し使用でき、平時に定期的な訓練を継続して行えることから災害発生時に速やかに初動体制を取ることが可能となり、更に、床スペースを狭めることなく壁面を利用して貼り付けや掛け止めることが可能であることから省スペース化を図りつつ災害対策に最適な配置として有効利用することもでき、対策本部の設置場所の自由度を有するという優れた効果を奏するホワイトボード機能を有する災害対策用様式罫引ボードセットを実現し提供することができる。
【００１２】
請求項９乃至１２記載の考案によれば、地震等の災害発生の場合に、停電が生じたような場合でも被害状況、ＢＣＰ行動指針等各様式に対応する情報を書き込み、また、多くの行動者が目視により一覧して共有でき、限られた経営資源で最低限の事業活動の継統、又は目標復旧時間以内での事業再開実現に資することができ、また、長期間の使用に供することができるとともに、文字等の情報の書き込み・消去可能な構成であることから、情報の更新の利便性に富むとともに繰り返し使用でき、平時に定期的な訓練を継続して行えることから災害発生時に速やかに初動体制が取ることができ、更に、各罫引ホワイトボードをキャスター付き脚体により自立支持する構成を採用すれば、各罫引ホワイトボードの配置の自由度が高まり配置の最適化を図りつつ災害対策業務を実行することもでき、さらにまた対策本部の設置場所の自由度をも有する災害対策用様式罫引ホワイトボードセットを実現し提供することができる。
【図面の簡単な説明】
【００１３】
【図１】図１は本考案の実施例１の本部初動対応手順に関する災害対策用様式罫引シートを示す概略斜視図である。
【図２】図２は本実施例１の被害概況一覧に関する災害対策用様式罫引シートを示す概略斜視図である。
【図３】図３は本実施例１の当事業所の被害概況に関する災害対策用様式罫引シートを示す概略斜視図である。
【図４】図４は本実施例１の鉄道運行状況に関する災害対策用様式罫引シートを示す概略斜視図である。
【図５】図５は本実施例１の道路状況に関する災害対策用様式罫引シートを示す概略斜視図である。
【図６】図６は本実施例１の空港状況に関する災害対策用様式罫引シートを示す概略斜視図である。
【図７】図７は本実施例１の地震概況に関する災害対策用様式罫引シートを示す概略斜視図である。
【図８】図８は本実施例１の要対応事項に関する災害対策用様式罫引シートを示す概略斜視図である。
【図９】図９は本実施例１の対応経緯に関する災害対策用様式罫引シートを示す概略斜視図である。
【図１０】図１０は本実施例１の緊急連絡一覧に関する災害対策用様式罫引シートを示す概略斜視図である。
【図１１】図１１は本実施例１の安否確認状況に関する災害対策用様式罫引シートを示す概略斜視図である。
【図１２】図１２は本実施例１の災害対策用様式罫引シートの作製工程を示す説明図である。
【図１３】図１３は本実施例１の地震概況に関する災害対策用様式罫引シートの使用例を示す概略図である。
【図１４】図１４は本考案の実施例２の本部初動対応手順に関する災害対策用様式罫引ボードを示す概略斜視図である。
【図１５】図１５は本実施例２の被害概況一覧に関する災害対策用様式罫引ボードを示す概略斜視図である。
【図１６】図１６は本実施例２の当事業所の被害概況に関する災害対策用様式罫引ボードを示す概略斜視図である。
【図１７】図１７は本実施例２の鉄道運行状況に関する災害対策用様式罫引ボードを示す概略斜視図である。
【図１８】図１８は本実施例２の道路状況に関する災害対策用様式罫引ボードを示す概略斜視図である。
【図１９】図１９は本実施例２の空港状況に関する災害対策用様式罫引ボードを示す概略斜視図である。
【図２０】図２０は本実施例２の地震概況に関する災害対策用様式罫引ボードを示す概略斜視図である。
【図２１】図２１は本実施例２の要対応事項に関する災害対策用様式罫引ボードを示す概略斜視図である。
【図２２】図２２は本実施例２の対応経緯に関する災害対策用様式罫引ボードを示す概略斜視図である。
【図２３】図２３は本実施例２の緊急連絡一覧に関する災害対策用様式罫引ボードを示す概略斜視図である。
【図２４】図２４は本実施例２の安否確認状況に関する災害対策用様式罫引ボードを示す概略斜視図である。
【図２５】図２５は本実施例２の災害対策用様式罫引ボードの作製工程を示す説明図である。
【図２６】図２６は本実施例２における例えば本部初動対応手順に関する罫引ボードの使用例を示す概略斜視図である。
【図２７】図２７は本考案の実施例３の本部初動対応手順に関する災害対策用様式罫引ホワイトボードを示す概略斜視図である。
【図２８】図２８は本実施例３の被害概況一覧に関する災害対策用様式罫引ホワイトボードトを示す概略斜視図である。
【図２９】図２９は本実施例３の当事業所の被害概況に関する災害対策用様式罫引ホワイトボードを示す概略斜視図である。
【図３０】図３０は本実施例３の鉄道運行状況に関する災害対策用様式罫引ホワイトボードを示す概略斜視図である。
【図３１】図３１は本実施例３の道路状況に関する災害対策用様式罫引ホワイトボードを示す概略斜視図である。
【図３２】図３２は本実施例３の空港状況に関する災害対策用様式罫引ホワイトボードを示す概略斜視図である。
【図３３】図３３は本実施例３の地震概況に関する災害対策用様式罫引ホワイトボードを示す概略斜視図である。
【図３４】図３４は本実施例３の要対応事項に関する災害対策用様式罫引ホワイトボードを示す概略斜視図である。
【図３５】図３５は本実施例３の対応経緯に関する災害対策用様式罫引ホワイトボードを示す概略斜視図である。
【図３６】図３６は本実施例３の緊急連絡一覧に関する災害対策用様式罫引ホワイトボードを示す概略斜視図である。
【図３７】図３７は本実施例３の安否確認状況に関する災害対策用様式罫引ホワイトボードを示す概略斜視図である。
【図３８】図３８は本実施例３の地震概況に関する災害対策用様式罫引ホワイトボードをキャスター付きの脚体に組み込んだ構成の正面図である。
【図３９】図３９は本実施例３の地震概況に関する災害対策用様式罫引ホワイトボードをキャスター付きの脚体に組み込んだ構成の側面図である。
【考案を実施するための形態】
【００１４】
本考案は、地震等の災害発生の場合に、停電が生じたような場合でも被害状況、ＢＣＰ行動指針等の情報を多くの行動者が目視により一覧して共有でき、限られた経営資源で最低限の事業活動の継統、又は目標復旧時間以内での事業再開実現に資することができ、また対策本部の設置場所の自由度をも有する害対策用様式罫引シートセットを提供するという目的を、表面に地震、台風、豪雨、津波等の各種の災害発生に伴う本部初動対応手順及びこの本部初動対応手順の実行に必要な地震概況、被害概況一覧、担当事業所の被害状況、鉄道運行状況、道路状況、空港状況、要対応事項、対応経緯、緊急連絡先一覧、安否確認状況等からなる地震に関する災害対策用様式を個別に罫引表記した複数のベースシートと、前記各ベースシートの罫引表記領域の表面に添着した情報書き込み・消去可能な透明フィルムシートとを有する複数の罫引シートの集合である罫引シート群と、  対策本部、災害現場事業所等の壁面等に各罫引シートを取り付ける止めピン、両面接着テープ等の取り付け具と、を有する構成により実現した。
【実施例】
【００１５】
以下、本考案の実施例に係るホワイトボード機能を有する災害対策用様式罫引シートセット、災害対策用様式罫引ボードセット、及び災害対策用様式罫引ホワイトボードセットについて詳細に説明する。
【００１６】
（実施例１）
本考案の実施例１に係るホワイトボード機能を有する災害対策用様式罫引シートセットについて図１乃至図１３を参照して詳細に説明する。
【００１７】
本実施例１に係るホワイトボード機能を有する災害対策用様式罫引シートセットは、災害の一種である主として地震対策用として構成したものであり、図１乃至図１１に示すように、災害対策用様式を個別に罫引表記した１１種の災害対策用様式罫引シート１乃至１１（以下、「罫引シート１乃至１１」という）の集合である罫引シート群から構成されるものである。
【００１８】
以下に、本実施例１に係る各罫引シート１乃至１１について詳述する。
【００１９】
図１及び図１２に示す罫引シート７は、地震等の概況に関する災害対策用様式としたものであり、例えば紙材等のベースシート２１の表面に印刷等により罫引表記するとともに、ベースシート２１の罫引表記領域の表面に文字等の情報書き込み・消去可能な例えば透明架橋硬化樹脂シート等からなる透明フィルムシート２２を一体的に添着した２層構造とし、ホワイトボード機能を持たせたものである。
【００２０】
文字等の情報書き込みは、図示しないマーカーペンにより、また、消去は図示しないイレーザーにより行うことができる。
【００２１】
図１に示す罫引シート７は、本部初動対応手順に関する災害対策用様式としたものであり、本部初動対応手順、災害名称、発生日の文字を上部左隅に表記するとともに、ナンバー１，２，３，・・・等の番号欄を左欄に縦方向に表記し、目標時間、アクション、担当者、実行時間、実行者、備考等の各項目欄を横方向にナンバー毎に記載し得るように設け、これらを罫線により枠取りをした構成としている。
【００２２】
なお、前記ベースシート２１及び透明フィルムシート２２からなる２層構造は、後述する各罫引シート２乃至６及び各罫引シート８乃至１１においても各々同様である。
【００２３】
図２に示す罫引シート２は、被害概況一覧に関する災害対策用様式としたもので、被害概況一覧、災害名称、発生日の文字を上部左隅に表記するとともに、拠点名、震度、報告日時、報告者、業務継続可否、人的被害、施設、電気、ガス等のライフライン、部材・商品、顧客・取引先、備考等の各項目を左欄に縦方向に表記し、各項目別の記載欄を各項目別に横方向に複数並べ、これらを罫線により枠取りをした構成としている。
【００２４】
図３に示す罫引シート３は、担当事業所の被害状況に関する災害対策用様式としたものであり、担当事業所の被害状況、災害名称、発生日の文字を上部左隅に表記するとともに、負傷者、火災、建物、照明、空調、電気、通信、水道、トイレ、エレベータ、その他の各項目を左欄に縦方向に表記し、何時何分現在のような時間経過情報記載欄を横方向に複数並べ、これらを罫線により枠取りをした構成としている。
【００２５】
図４に示す罫引シート４は、鉄道運行状況に関する災害対策用様式としたもので、鉄道運行状況、災害名称、発生日の文字を上部左隅に表記するとともに、ナンバー１，２，３，・・・等の番号欄を左欄に縦方向に表記し、鉄道会社名、路線名、運行状況、確認時間、備考等の各項目欄を横方向にナンバー毎に記載し得るように設け、これらを罫線により枠取りをした構成としている。
【００２６】
図５に示す罫引シート５は、道路運行状況に関する災害対策用様式としたもので、道路状況、災害名称、発生日の文字を上部左隅に表記するとともに、ナンバー１，２，３，・・・等の番号欄を左欄に縦方向に表記し、路線名称、区間、道路状況、確認時間、備考等の各項目欄を横方向にナンバー毎に記載し得るように設け、これらを罫線により枠取りをした構成としている。
【００２７】
図６に示す罫引シート６は、空港状況に関する災害対策用様式としたもので、空港状況、災害名称、発生日の文字を上部左隅に表記するとともに、ナンバー１，２，３，・・・等の番号欄を左欄に縦方向に表記し、空港名、開港状況、確認時間、備考等の各項目欄を横方向にナンバー毎に記載し得るように設け、これらを罫線により枠取りをした構成としている。
【００２８】
図７に示す罫引シート１における地震等の概況に関する災害対策用様式は、地震概況、災害名称、発生日の文字を上部左隅に表記するとともに、月日記載欄、震源、マグニチュード、各地の震度、津波状況等の各項目を左欄に縦方向に表記し、各項目別に発生時分を記載する欄を横方向に複数並べ、これらを罫線により枠取りをした構成としている。
【００２９】
図８に示す罫引シート８は、要対応事項に関する災害対策用様式としたもので、要対応事項、災害名称、発生日の文字を上部左隅に表記するとともに、ナンバー１，２，３，・・・等の番号欄を左欄に縦方向に表記して、記入時刻，要対応事項、担当者、期限、現状等の各項目欄を横方向にナンバー毎に記載し得るように設け、これらを罫線により枠取りをした構成としている。
【００３０】
図９に示す罫引シート９は、対応経緯に関する災害対策用様式としたものであり、対応経緯（月日）、災害名称、発生日の文字を上部左隅に表記するとともに、ナンバー１，２，３，・・・等の番号欄を左欄に縦方向に表記し、時刻、事象／対応、分野・場所、実行者等の各項目欄を横方向にナンバー毎に記載し得るように設け、これらを罫線により枠取りをした構成としている。
【００３１】
図１０に示す罫引シート１０は、緊急連絡先一覧に関する災害対策用様式としたものであり、緊急連絡先一覧、災害名称、発生日の文字を上部左隅に表記するとともに、ナンバー１，２，３，・・・等の番号欄を左欄に縦方向に表記し、分野・役割、名称、電話。メールアドレス、携帯電話、携帯メールアドレス等の各項目欄を横方向にナンバー毎に記載し得るように設け、これらを罫線により枠取りをした構成としている。
【００３２】
図１１に示す罫引シート１１は、安否確認状況に関する災害対策用様式としたものであり、安否確認状況、災害名称、発生日の文字を上部左隅に表記するとともに、部門名、対象者数、無事、負傷、未回答、負傷者状況、備考等の各項目を左欄に縦方向に表記し、各項目に対応する記載欄を横方向に複数並べ、これらを罫線により枠取りをした構成としている。
【００３３】
図１３は、本実施例１に係るホワイトボード機能を有する災害対策用様式罫引シートセットの一つの使用例を示すものであり、例えば地震概況に関する災害対策用様式とした罫引シート１を、企業等の本部（災害対策本部）の壁面２３に取り付け具である止めピン２４を用いて取り付けたものである。
【００３４】
前記壁面２３に、止めピン２４の替わりに図示しないが両面接着テープ等を用いて罫引シート１を取り付ける構成とすることもできる。
【００３５】
他の罫引シート２乃至１１についても前記罫引シート１の場合と同様にして壁面２３に止めピン２４を用いて取り付けたり、両面接着テープ等を用い取り付け、各々の項目に応じた文字情報を書き込み、多くの行動者の一覧に供し、各々の内容に応じた災害対策活動を実行可能とするものである。
【００３６】
そして、地震等の災害発生の場合に、特に図１に示す本部初動対応手順に関する罫引シート７を主たる要素とし、この他の各罫引シート２乃至６及び各罫引シート８乃至１１を従たる要素として用い、被害状況、ＢＣＰ行動指針等々の各種情報を書きき込み、多くの行動者の一覧に供して災害対策活動を実行するようにしたものである。
【００３７】
本実施例１に係る１１種の各罫引シート１乃至１１の集合からなる罫引シート群により構成されるホワイトボード機能を有する災害対策用様式罫引シートセットによれば、特に図１に示す本部初動対応手順に関する罫引シート７を主たる要素として用い、地震等の災害発生の場合に、被害状況、ＢＣＰ行動指針等の情報を書き込み、また、多くの行動者が目視により一覧して共有でき、限られた経営資源で最低限の事業活動の継統、又は目標復旧時間以内での事業再開実現に資することができる。
そして、各罫引シート１乃至１１は、いずれもコンピュータ接続用の電気部品、電子部品を全く使用していないので、仮に災害発生に伴い停電が生じた場合でも何等支障なく上記効果を発揮させることができる。
【００３８】
また、各罫引シート１乃至１１自体に耐久性があることから、長期間の使用に供することができること、各罫引シート１乃至１１は、文字等の情報の書き込み・消去可能な透明フィルムシート２２を備えることから、情報の更新等ホワイトボードとしての利便性に富むとともに繰り返し使用でき、平時に定期的な訓練を継続して行えることから災害発生時に速やかに初動体制が取れること等優れた効果を発揮する。
【００３９】
更に、本実施例１に係る災害対策用様式罫引シートセットによれば、各罫引シート１乃至１１がいずれも薄厚のシート状であることから、折り畳み、丸め込みが可能であり、運搬の便宜、保管場所の省スペース化を図ることができるという利点も存する。
さらにまた、本実施例１に係る災害対策用様式罫引シートセットによれば、各罫引シート１乃至１１がいずれも薄厚のシート状であり、折り畳み、丸め込みが可能で保管にも便利あるという利点を備えることから、例えば、会社等の本社が災害で機能できない等の非常事態が生じた場合でも、別の営業所等において災害対策本部を速やかに立ち上げることができるという対策本部の設置場所の自由度を高めることもできる。
【００４０】
（実施例２）
本考案の実施例２に係るホワイトボード機能を有する災害対策用様式罫引ボードセットについて図１４乃至図２６を参照して詳細に説明する。
【００４１】
本実施例２に係るホワイトボード機能を有する災害対策用様式罫引ボードセットは、災害の一種である地震対策用として構成したものであり、図１４乃至図２４に示すように、災害対策用様式を個別に罫引表記した１１種の災害対策用様式罫引ボード１Ａ乃至１１Ａ（以下、「罫引ボード１Ａ乃至１１Ａ」という）の集合である罫引ボード群から構成される。
【００４２】
以下に、本実施例２に係る各罫引ボード１Ａ乃至１１Ａについて詳述する。
【００４３】
図１４及び図２５に示す罫引ボード７Ａは、本部初動対応手順に関する災害対策用様式としたものであり、図１に示す罫引シート７の場合と同様、本部初動対応手順、災害名称、発生日の文字を上部左隅に表記するとともに、ナンバー１，２，３，・・・等の番号欄を左欄に縦方向に表記し、目標時間、アクション、担当者、実行時間、実行者、備考等の各項目欄を横方向にナンバー毎に記載し得るように設け、これらを罫線により枠取りをした構成としている。
【００４４】
また、前記罫引ボード７Ａは、図２５に示すように、例えば紙材等のベースシート２１の表面に印刷等により罫引表記するとともに、ベースシート２１の罫引表記領域の表面に文字等の情報書き込み・消去可能な例えば透明架橋硬化樹脂シート等からなる透明フィルムシート２２を一体的に添着し、更に、ベースシート２１の裏面側に例えばマグネットシート、板状ボード等からなる裏面材２０を一体的に添着した３層構造とし、ホワイトボード機能を持たせたものである。
【００４５】
文字等の情報書き込みは、実施例１の場合と同様、図示しないマーカーペンにより、また、消去は図示しないイレーザーにより行うことができる。
【００４６】
なお、前記ベースシート２１、透明フィルムシート２２、裏面材２０からなる３層構造は、後述する各罫引ボード１Ａ乃至６Ａ、８Ａ乃至１１Ａにおいても各々同様である。
【００４７】
図１５に示す罫引ボード２Ａは、被害概況一覧に関する災害対策用様式としたものであり、図２に示す罫引シート２の場合と同様、被害概況一覧、災害名称、発生日の文字を上部左隅に表記するとともに、拠点名、震度、報告日時、報告者、業務継続可否、人的被害、施設、電気、ガス等のライフライン、部材・商品、顧客・取引先、備考等の各項目を左欄に縦方向に表記し、各項目別の記載欄を各項目別に横方向に複数並べ、これらを罫線により枠取りをした構成としている。
【００４８】
図１６に示す罫引ボード３Ａは、担当事業所の被害状況に関する災害対策用様式としたもので、図３に示す罫引シート３の場合と同様、担当事業所の被害状況、災害名称、発生日の文字を上部左隅に表記するとともに、負傷者、火災、建物、照明、空調、電気、通信、水道、トイレ、エレベータ、その他の各項目を左欄に縦方向に表記し、何時何分現在のような時間経過情報記載欄を横方向に複数並べ、これらを罫線により枠取りをした構成としている。
【００４９】
図１７に示す罫引ボード４Ａは、鉄道運行状況に関する災害対策用様式としたものであり、図４に示す罫引シート４の場合と同様、鉄道運行状況、災害名称、発生日の文字を上部左隅に表記するとともに、ナンバー１，２，３，・・・等の番号欄を左欄に縦方向に表記し、鉄道会社名、路線名、運行状況、確認時間、備考等の各項目欄を横方向にナンバー毎に記載し得るように設け、これらを罫線により枠取りをした構成としている。
【００５０】
図１８に示す罫引ボード５Ａは、道路運行状況に関する災害対策用様式としたものであり、図５に示す罫引シート５の場合と同様、道路状況、災害名称、発生日の文字を上部左隅に表記するとともに、ナンバー１，２，３，・・・等の番号欄を左欄に縦方向に表記し、路線名称、区間、道路状況、確認時間、備考等の各項目欄を横方向にナンバー毎に記載し得るように設け、これらを罫線により枠取りをした構成としている。
【００５１】
図１９に示す罫引ボード６Ａは、空港状況に関する災害対策用様式としたもので、図６に示す罫引シート６の場合と同様、空港状況、災害名称、発生日の文字を上部左隅に表記するとともに、ナンバー１，２，３，・・・等の番号欄を左欄に縦方向に表記し、空港名、開港状況、確認時間、備考等の各項目欄を横方向にナンバー毎に記載し得るように設けて、これらを罫線により枠取りをした構成としている。
【００５２】
図２０に示す罫引ボード１Ａは、地震概況に関する災害対策用様式としたものであり、図１に示す罫引シート１の場合と同様、地震概況、災害名称、発生日の文字を上部左隅に表記するとともに、月日記載欄、震源、マグニチュード、各地の震度、津波状況等の各項目を左欄に縦方向に表記し、各項目別に発生時分を記載する欄を横方向に複数並べ、これらを罫線により枠取りをした構成としている。
【００５３】
図２１に示す罫引ボード８Ａは、要対応事項に関する災害対策用様式としたもので、図８に示す罫引シート８の場合と同様、要対応事項、災害名称、発生日の文字を上部左隅に表記するとともに、ナンバー１，２，３，・・・等の番号欄を左欄に縦方向に表記し、記入時刻，要対応事項、担当者、期限、現状等の各項目欄を横方向にナンバー毎に記載し得るように設け、これらを罫線により枠取りをした構成としている。
【００５４】
図２２に示す罫引ボード９Ａは、対応経緯に関する災害対策用様式としたもので、図９に示す罫引シート９の場合と同様、対応経緯（月日）、災害名称、発生日の文字を上部左隅に表記するとともに、ナンバー１，２，３，・・・等の番号欄を左欄に縦方向に表記し、時刻、事象／対応、分野・場所、実行者等の各項目欄を横方向にナンバー毎に記載し得るように設け、これらを罫線により枠取りをした構成としている。
【００５５】
図２３に示す罫引ボード１０Ａは、緊急連絡先一覧に関する災害対策用様式としたものであり、図１０に示す罫引シート１０の場合と同様、緊急連絡先一覧、災害名称、発生日の文字を上部左隅に表記するとともに、ナンバー１，２，３，・・・等の番号欄を左欄に縦方向に表記し、分野・役割、名称、電話。メールアドレス、携帯電話、携帯メールアドレス等の各項目欄を横方向にナンバー毎に記載し得るように設け、これらを罫線により枠取りをした構成としている。
【００５６】
図２４に示す罫引ボード１１Ａは、安否確認状況に関する災害対策用様式としたものであり、図１１に示す罫引シート１１の場合と同様、安否確認状況、災害名称、発生日の文字を上部左隅に表記するとともに、部門名、対象者数、無事、負傷、未回答、負傷者状況、備考等の各項目を左欄に縦方向に表記し、各項目に対応する記載欄を横方向に複数並べて、これらを罫線により枠取りをした構成としている。
【００５７】
図２６は例えば本部初動対応手順に関する罫引ボード７Ａに例えばフック２５を取り付け、壁面２３に配置した受け金具２６に掛け止めて前記壁面２３に壁掛けタイプとして固定配置した使用例を示すものである。
【００５８】
この場合も、地震等の災害発生の場合に、被害状況、ＢＣＰ行動指針等の情報を書き込み、多くの行動者の一覧に供して災害対策活動を実行することができる。
【００５９】
他の罫引ボード１Ａ乃至６Ａ、及び罫引ボード８Ａ乃至１１Ａについても同様な使用態様とすることができる。
【００６０】
そして、各罫引ボード１Ａ乃至１１Ａに各々の項目に応じた文字情報を書き込み、多くの行動者の一覧に供し、各々の内容に応じた災害対策活動を実行可能とすることができる。
【００６１】
なお、各罫引ボード１Ａ乃至１１Ａを、マグネットシートからなる裏面材２０を用いて構成した場合には、スチール製家具等の表面に磁着して固定する構成とすることもできる。
【００６２】
本実施例２に係る１１種の各罫引ボード１Ａ乃至１１Ａの集合からなる罫引ボード群により構成されるホワイトボード機能を有する災害対策用様式罫引ボードセットによれば、特に図１４に示す本部初動対応手順に関する罫引ボード７Ａを主たる要素として用い、地震等の災害発生の場合に、被害状況、ＢＣＰ行動指針等の情報を書き込み、また、多くの行動者が目視により一覧して共有でき、限られた経営資源で最低限の事業活動の継統、又は目標復旧時間以内での事業再開実現に資することができる。
そして、各罫引ボード１Ａ乃至１１Ａは、いずれもコンピュータ接続用の電気部品、電子部品等を全く使用していないので、仮に災害発生  に伴い停電が生じた場合でも何等支障なく上記効果を発揮させることができる。
【００６３】
また、各罫引ボード１Ａ乃至１１Ａ自体に耐久性があることから、長期間の使用に供することができること、各罫引ボード１Ａ乃至１１Ａは、文字等の情報の書き込み・消去可能な透明フィルムシート２２を備えることから、情報の更新等ホワイトボードとしての利便性に富むとともに繰り返し使用でき、平時に定期的な訓練を継続して行えることから災害発生時に速やかに初動体制が取れること等優れた効果を発揮する。
【００６４】
更に、各罫引ボード１Ａ乃至１１Ａを、本部や災害現場事業所の床スペースを狭めることなく壁面を利用して貼り付けや掛け止めることができ、各罫引ホワイトボード１Ａ乃至１１Ａを災害対策に最適な配置として有効利用することができる。
さらにまた、本実施例２に係る災害対策用様式罫引ボードセットによれば、各罫引ボード１Ａ乃至１１Ａがいずれも薄厚のシート状であり、折り畳み、丸め込みが可能で保管にも便利あるという利点を備えることから、実施例１の場合と同様、例えば、会社等の本社が災害で機能できない等の非常事態が生じた場合でも、別の営業所等において災害対策本部を速やかに立ち上げることができるという対策本部の設置場所の自由度を高めることもできる。
【００６５】
（実施例３）
本考案の実施例３に係る災害対策用様式罫引ホワイトボードセットについて図２７乃至図３９を参照して詳細に説明する。
【００６６】
本実施例３に係る災害対策用様式罫引ホワイトボードセットは、災害の一種である地震対策用として構成したもので、図２７乃至図３７に示すように、災害対策用様式を個別に罫引表記した１１種の災害対策用様式罫引ホワイトボード１Ｂ乃至１１Ｂ（以下、「罫引ホワイトボード１Ｂ乃至１１Ｂ」という）の集合である罫引ホワイトボード群から構成される。
【００６７】
以下に、前記罫引ホワイトボード１Ｂ乃至１１Ｂについて詳述する。
【００６８】
図２７に示す罫引ホワイトボード７Ｂは、本部初動対応手順に関する災害対策用様式としたものであり、実施例１の場合と同様、本部初動対応手順、災害名称、発生日の文字を上部左隅に表記するとともに、ナンバー１，２，３，・・・等の番号欄を左欄に縦方向に表記し、目標時間、アクション、担当者、実行時間、実行者、備考等の各項目欄を横方向にナンバー毎に記載し得るように設け、これらを罫線により枠取りをした構成としている。
【００６９】
図２７に示す罫引ホワイトボード７Ｂは、公知のスチール製又はホーロー仕上げ複合材からなる四角板状の原板４１と、この原板４１の各辺端縁を覆うように取り付けた枠材４２とを有し、原板４１の表面に直接実施例１の場合と同様に地震概況に関する災害対策用様式を公知の印刷等の方法により罫引表記することにより構成したものである。
前記原板４１、枠材４２の構成は、後述する各罫引ホワイトボード１Ｂ乃至６Ｂ、８Ｂ乃至１１Ｂに関しても同様である。
【００７０】
図２８に示す罫引ホワイトボード２Ｂは、被害概況一覧に関する災害対策用様式としたものであり、実施例１の場合と同様、被害概況一覧、災害名称、発生日の文字を上部左隅に表記するとともに、拠点名、震度、報告日時、報告者、業務継続可否、人的被害、施設、電気、ガス等のライフライン、部材・商品、顧客・取引先、備考等の各項目を左欄に縦方向に表記し、各項目別の記載欄を各項目別に横方向に複数並べ、これらを罫線により枠取りをした構成としている。
【００７１】
図２９に示す罫引ホワイトボード３Ｂは、担当事業所の被害状況に関する災害対策用様式としたものであり、実施例１の場合と同様、担当事業所の被害状況、災害名称、発生日の文字を上部左隅に表記するとともに、負傷者、火災、建物、照明、空調、電気、通信、水道、トイレ、エレベータ、その他の各項目を左欄に縦方向に表記し、何時何分現在のような時間経過情報記載欄を横方向に複数並べ、これらを罫線により枠取りをした構成としている。
【００７２】
図３０に示す罫引ホワイトボード４Ｂは、鉄道運行状況に関する災害対策用様式としたもので、実施例１の場合と同様、鉄道運行状況、災害名称、発生日の文字を上部左隅に表記するとともに、ナンバー１，２，３，・・・等の番号欄を左欄に縦方向に表記し、鉄道会社名、路線名、運行状況、確認時間、備考等の各項目欄を横方向にナンバー毎に記載し得るように設け、これらを罫線により枠取りをした構成としている。
【００７３】
図３１に示す罫引ホワイトボード５Ｂは、道路運行状況に関する災害対策用様式としたものであり、実施例１の場合と同様、道路状況、災害名称、発生日の文字を上部左隅に表記するとともに、ナンバー１，２，３，・・・等の番号欄を左欄に縦方向に表記し、路線名称、区間、道路状況、確認時間、備考等の各項目欄を横方向にナンバー毎に記載し得るように設け、これらを罫線により枠取りをした構成としている。
【００７４】
図３２に示す罫引ホワイトボード６Ｂは、空港状況に関する災害対策用様式としたもので、実施例１の場合と同様、空港状況、災害名称、発生日の文字を上部左隅に表記するとともに、ナンバー１，２，３，・・・等の番号欄を左欄に縦方向に表記し、空港名、開港状況、確認時間、備考等の各項目欄を横方向にナンバー毎に記載し得るように設け、これらを罫線により枠取りをした構成としている。
【００７５】
図３３に示す罫引ホワイトボード１Ｂは地震概況に関する災害対策用様式としたものであり、実施例１の場合と同様、地震概況、災害名称、発生日の文字を上部左隅に表記するとともに、月日記載欄、震源、マグニチュード、各地の震度、津波状況等の各項目を左欄に縦方向に表記し、各項目別に発生時分を記載する欄を横方向に複数並べ、これらを罫線により枠取りをした構成としている。
【００７６】
図３４に示す罫引ホワイトボード８Ｂは、要対応事項に関する災害対策用様式としたものであり、実施例１の場合と同様、要対応事項、災害名称、発生日の文字を上部左隅に表記するとともに、ナンバー１，２，３，・・・等の番号欄を左欄に縦方向に表記し、記入時刻，要対応事項、担当者、期限、現状等の各項目欄を横方向にナンバー毎に記載し得るように設け、これらを罫線により枠取りをした構成としている。
【００７７】
図３５に示す罫引ホワイトボード９Ｂは、対応経緯に関する災害対策用様式としたものであり、実施例１の場合と同様、対応経緯（月日）、災害名称、発生日の文字を上部左隅に表記するとともに、ナンバー１，２，３，・・・等の番号欄を左欄に縦方向に表記し、時刻、事象／対応、分野・場所、実行者等の各項目欄を横方向にナンバー毎に記載し得るように設け、これらを罫線により枠取りをした構成としている。
【００７８】
図３６に示す罫引ホワイトボード１０Ｂは、緊急連絡先一覧に関する災害対策用様式としたものであり、実施例１の場合と同様、緊急連絡先一覧、災害名称、発生日の文字を上部左隅に表記するとともに、ナンバー１，２，３，・・・等の番号欄を左欄に縦方向に表記し、分野・役割、名称、電話。メールアドレス、携帯電話、携帯メールアドレス等の各項目欄を横方向にナンバー毎に記載し得るように設け、これらを罫線により枠取りをした構成としている。
【００７９】
図３７に示す罫引ホワイトボード１１Ｂは、安否確認状況に関する災害対策用様式としたものであり、実施例１の場合と同様、安否確認状況、災害名称、発生日の文字を上部左隅に表記するとともに、部門名、対象者数、無事、負傷、未回答、負傷者状況、備考等の各項目を左欄に縦方向に表記し、各項目に対応する記載欄を横方向に複数並べ、これらを罫線により枠取りをした構成としている。
【００８０】
本実施例３に係る災害対策用様式罫引ホワイトボードセットは、上述した構成からなる各罫引ホワイトボード１Ｂ乃至１１Ｂの集合である罫引ホワイトボード群により構成される。
【００８１】
図３８、図３９は、前記罫引ホワイトボード１Ｂを、キャスター３２付きの脚体３１に組み込み、垂直状態の自立支持した構成を示すものである。
【００８２】
他の罫引ホワイトボード２Ｂ乃至１１Ｂについても同様に図示しないがキャスター３２付きの脚体３１に各々組み込み、垂直の自立支持した構成とし、これらキャスター３２付きの脚体３１を各々備えた各罫引ホワイトボード１Ｂ乃至１１Ｂの集合により、各々床面上を自由移動可能な災害対策用様式罫引ホワイトボードセットを構成することができる。
【００８３】
また、各罫引ホワイトボード１Ｂ乃至１１Ｂの各原板４１の背面側に図示しないが各々フック等を取り付け、これらの集合により壁掛けタイプの災害対策用様式罫引ホワイトボードセットとすることもできる。
【００８４】
本実施例３に係る１１種の各罫引ホワイトボード１Ｂ乃至１１Ｂの集合からなる罫引シート群により構成される災害対策用様式罫引ホワイトボードセットによれば、特に図２７に示す本部初動対応手順に関する罫引ホワイトボード７Ｂを主たる要素として用い、地震等の災害発生の場合に、被害状況、ＢＣＰ行動指針等各様式に対応する情報を書き込み、また、多くの行動者が目視により一覧して共有でき、限られた経営資源で最低限の事業活動の継統、又は目標復旧時間以内での事業再開実現に資することができる。
そして、各罫引ホワイトボード１Ｂ乃至１１Ｂは、いずれもコンピュータ接続用の電気部品、電子部品等を全く使用していないので、仮に災害発生に伴い停電が生じた場合でも何等支障なく上記効果を発揮させることができる。
【００８５】
また、各罫引ホワイトボード１Ｂ乃至１１Ｂは耐久性があることから、長期間の使用に供することができること、各罫引ホワイトボード２Ｂ乃至１１Ｂは、文字等の情報の書き込み・消去可能な構成であることから、情報の更新の利便性に富むとともに繰り返し使用でき、平時に定期的な訓練を継続して行えることから災害発生時に速やかに初動体制が取れること等優れた効果を発揮する。
【００８６】
更に、各罫引ホワイトボード１Ｂ乃至１１Ｂを、キャスター３２付きの脚体３１を備えた構成とし、これらの集合により災害対策用様式罫引ホワイトボードセットとすることにより、各罫引ホワイトボード１Ｂ乃至１１Ｂを個別に床面上で自由移動させることができ、各罫引ホワイトボード１Ｂ乃至１１Ｂの設置の自由度が高まることから、災害対策に当たる人員の多寡、本部や災害現場事業所の室内スペース等に応じて、各罫引ホワイトボード１Ｂ乃至１１Ｂを災害対策に最適な配置として有効利用することができる。
さらにまた、実施例１の場合と同様、例えば、会社等の本社が災害で機能できない等の非常事態が生じた場合でも、別の営業所等において各罫引ホワイトボード１Ｂ乃至１１Ｂを用いて災害対策本部を速やかに立ち上げることができるという対策本部の設置場所の自由度を高めることもできる。
【００８７】
更に、各罫引ホワイトボード１Ｂ乃至１１Ｂを壁掛けタイプとした場合には、本部や災害現場事業所の床スペースを狭めることなく壁面を利用して貼り付けや掛け止めることができ、各罫引ホワイトボード１Ｂ乃至１１Ｂを災害対策に最適な配置として有効利用することができる。
【００８８】
なお、以上の実施例１乃至３において、各罫引シート１乃至１１、各罫引ボード１Ａ乃至１１Ａ、各罫引ホワイトボード１Ｂ乃至１１Ｂの各サイズは、幅７５０ｍｍ、高９００ｍｍ等の例を挙げることができるが、これに限らず種々の変形実施が可能である。
【産業上の利用可能性】
【００８９】
本考案に係る災害対策用様式罫引シートセット、災害対策用様式罫引ボードセット、及び災害対策用様式罫引ホワイトボードセットは、上述した地震対策用に構成する他、台風、津波、大規模火災等のような各種災害に対する対策用として広範に応用可能である。また、個々の企業等の業務内容に応じたオリジナルの災害対策用様式を採用した構成とするという応用可能である。
【符号の説明】
【００９０】
１    罫引シート
１Ａ  罫引ボード
１Ｂ  罫引ホワイトボード
２    罫引シート
２Ａ  罫引ボード
２Ｂ  罫引ホワイトボード
３    罫引シート
３Ａ  罫引ボード
３Ｂ  罫引ホワイトボード
４    罫引シート
４Ａ  罫引ボード
４Ｂ  罫引ホワイトボード
５    罫引シート
５Ａ  罫引ボード
５Ｂ  罫引ホワイトボード
６    罫引シート
６Ａ  罫引ボード
６Ｂ  罫引ホワイトボード
７    罫引シート
７Ａ  罫引ボード
７Ｂ  罫引ホワイトボード
８    罫引シート
８Ａ  罫引ボード
８Ｂ  罫引ホワイトボード
９    罫引シート
９Ａ  罫引ボード
９Ｂ  罫引ホワイトボード
１０    罫引シート
１０Ａ  罫引ボード
１０Ｂ  罫引ホワイトボード
１１    罫引シート
１１Ａ  罫引ボード
１１Ｂ  罫引ホワイトボード
２０    裏面材
２１    ベースシート
２２    透明フィルムシート
２３    壁面
２４    止めピン
２５    フック
２６    受け金具
３１    脚体
３２    キャスター
４１    原板
４２    枠材
【図１】
0003184160.tif 000003
【図２】
0003184160.tif 000004
【図３】
0003184160.tif 000005
【図４】
0003184160.tif 000006
【図５】
0003184160.tif 000007
【図６】
0003184160.tif 000008
【図７】
0003184160.tif 000009
【図８】
0003184160.tif 000010
【図９】
0003184160.tif 000011
【図１０】
0003184160.tif 000012
【図１１】
0003184160.tif 000013
【図１２】
0003184160.tif 000014
【図１３】
0003184160.tif 000015
【図１４】
0003184160.tif 000016
【図１５】
0003184160.tif 000017
【図１６】
0003184160.tif 000018
【図１７】
0003184160.tif 000019
【図１８】
0003184160.tif 000020
【図１９】
0003184160.tif 000021
【図２０】
0003184160.tif 000022
【図２１】
0003184160.tif 000023
【図２２】
0003184160.tif 000024
【図２３】
0003184160.tif 000025
【図２４】
0003184160.tif 000026
【図２５】
0003184160.tif 000027
【図２６】
0003184160.tif 000028
【図２７】
0003184160.tif 000029
【図２８】
0003184160.tif 000030
【図２９】
0003184160.tif 000031
【図３０】
0003184160.tif 000032
【図３１】
0003184160.tif 000033
【図３２】
0003184160.tif 000034
【図３３】
0003184160.tif 000035
【図３４】
0003184160.tif 000036
【図３５】
0003184160.tif 000037
【図３６】
0003184160.tif 000038
【図３７】
0003184160.tif 000039
【図３８】
0003184160.tif 000040
【図３９】
0003184160.tif 000041